(57)【要約】【課題】化学系凍結抑制機能及び物理系凍結抑制機能を具備させ、凍結抑制舗装材の持続性及び滑り抵抗性の付与の相乗効果による総合的凍結抑制機能を十分に発揮させることが出来る凍結抑制舗装材及び凍結抑制舗装体の施工方法を提供することを目的とする。【解決手段】凍結抑制舗装材Ｑの第１実施形態としては、硅砂，自然石の砕石または人工石の破砕物等の剛体から成る粒状の芯材１の表面に、接着用樹脂材２を介して凍結抑制機能を有する水溶性塩類、吸水性を有する有機系物質、更に保水性を有する無機系物質等から選ばれた微小粉体３が添着してある。この発明の凍結抑制舗装材Ｑの第２実施形態としては、硅砂，自然石の砕石または人工石の破砕物等の剛体から成る粒状の芯材１の表面に、接着用樹脂材２を介して滑り止め機能を有する無機系微細骨材または有機系微細骨材から成る微小骨材４と、凍結抑制機能を有する水溶性塩類、吸水性を有する有機系物質、更に保水性を有する無機系物質等から選ばれた微小粉体３との混合物を添着して構成したものである。【選択図】  図１
2005220631.tif 000002
【特許請求の範囲】
【請求項１】
剛体から成る粒状の芯材の表面に、接着用樹脂材を介して凍結抑制機能を有する微小粉体を添着して成る凍結抑制舗装材。
【請求項２】
剛体から成る粒状の芯材の表面に、接着用樹脂材を介して滑り止め機能を有する微小骨材と凍結抑制機能を有する微小粉体との混合物を添着して成る凍結抑制舗装材。
【請求項３】
弾性体から成る粒状の芯材の表面に、凍結抑制機能を有する微小粉体を添着して成る凍結抑制舗装材。
【請求項４】
弾性体から成る粒状の芯材の表面に、接着用樹脂材を介して滑り止め機能を有する微小骨材と凍結抑制機能を有する微小粉体との混合物を添着して成る凍結抑制舗装材。
【請求項５】
剛体から成る粒状の芯材と弾性体から成る粒状の芯材との混合芯材に、接着用樹脂材を介して滑り止め機能を有する微小骨材と凍結抑制機能を有する微小粉体との少なくとも一方を添着して成る凍結抑制舗装材。
【請求項６】
前記剛体から成る粒状の芯材が、砕石または人工石である請求項１，２または５に記載の凍結抑制舗装材。
【請求項７】
前記弾性体から成る粒状の芯材が、粒状ゴムまたはファイバー状ゴムである請求項３，４または５に記載の凍結抑制舗装材。
【請求項８】
前記凍結抑制機能を有する微小粉体が、水溶性塩類である請求項１，２，３，４，５，６または７に記載の凍結抑制舗装材。
【請求項９】
前記凍結抑制機能を有する微小粉体が、吸水性を有する有機系物質である請求項１，２，３，４，５，６または７に記載の凍結抑制舗装材。
【請求項１０】
前記凍結抑制機能を有する微小粉体が、保水性を有する無機系物質である請求項１，２，３，４，５，６または７に記載の凍結抑制舗装材。
【請求項１１】
前記滑り止め機能を有する微小骨材が、無機系微細骨材または有機系微細骨材である請求項１，２，３，４，５，６または７に記載の凍結抑制舗装材。
【請求項１２】
現場施工基盤表面上または基盤表面の空隙に、前記請求項１，２，３，４，５から選ばれた一つの凍結抑制舗装材を散布・転圧する凍結抑制舗装体の施工方法。
【請求項１３】
現場施工基盤表面上に接着性または粘着性を付与する処理を施した後、前記請求項１，２，３，４，５から選ばれた一つの凍結抑制舗装材を散布・転圧する凍結抑制舗装体の施工方法。
【請求項１４】
接着性または粘着性を付与する基材と、前記請求項１，２，３，４，５から選ばれた一つの凍結抑制舗装材とを混合した混合物を基盤上に施工して転圧する凍結抑制舗装体の施工方法。
【発明の詳細な説明】
【技術分野】
【０００１】
この発明は、凍結抑制舗装材及び凍結抑制舗装体の施工方法に係わり、更に詳しくは粒状の芯材の表面に接着用樹脂材を介して凍結抑制機能を有する微小粉体や滑り止め機能を有する微小骨材添着させて成る複合型骨材（ハイブリッド骨材）を使用した凍結抑制舗装材及びその凍結抑制舗装体の施工方法に関するものである。
【背景技術】
【０００２】
従来、積雪寒冷地では、道路凍結に関して、既に種々な凍結抑制が提案され実施されている。例えば、無機塩化物系材料を舗装体に混入して、凍結温度を下げる方法、ゴム粒子をアスファルト混合物に添加・混練し、舗装体に弾力性を持たせて凍結を抑制する方法、ロードヒーティングにより路面を完全に露出させる方法等である。
【０００３】
また、本願出願人は、ゴム配合物から成る粉末ゴムの表面に接着用樹脂を介して微細骨材を添着させた複合型骨材をアスファルトに混合し、この混合物を道路基盤上に施工して構成し、安価で粒取れし難い耐久性に優れた凍結抑制舗装体及びその施工方法を提案している（例えば、特許文献１参照）。
【０００４】
凍結抑制舗装には、塩化カルシウム、塩化ナトリウム等を含有した材料をアスファルト混合物中に添加・混入し、これらが舗装表面より溶けだすことよる氷点降下作用により凍結抑制機能を発揮する化学系舗装材と、アスファルト混合物中にゴム粒子を添加したり、ゴム骨材やウレタン樹脂を配置したりして、交通荷重によって変形し舗装表面に形成された氷板を破砕すると共に、雪氷と路面との付着力を低減する等の物理的な作用により凍結抑制機能を発揮する物理系舗装材とが知られている。
【０００５】
しかし、従来の凍結抑制舗装材には、化学的な作用により凍結抑制機能を発揮する化学系舗装材と、物理的な作用により凍結抑制機能を発揮する物理系舗装材との両方を兼ね備えた舗装材は提案されておらず、総合的凍結抑制機能を十分に発揮させることが出来なかった。
【特許文献１】特開２００１−２６２５０５号公報
【発明の開示】
【発明が解決しようとする課題】
【０００６】
この発明は、かかる従来の問題点に着目して案出されたもので、化学系凍結抑制機能及び物理系凍結抑制機能を具備させ、凍結抑制舗装材の持続性及び滑り抵抗性の付与の相乗効果による総合的凍結抑制機能を十分に発揮させることが出来る凍結抑制舗装材及び凍結抑制舗装体の施工方法を提供することを目的とするものである。
【課題を解決するための手段】
【０００７】
この発明は上記目的を達成するため、この発明の第１の凍結抑制舗装材は、剛体から成る粒状の芯材の表面に、接着用樹脂材を介して凍結抑制機能を有する微小粉体を添着したことを要旨とするものである。
【０００８】
また、この発明の第２の凍結抑制舗装材は、剛体から成る粒状の芯材の表面に、接着用樹脂材を介して滑り止め機能を有する微小骨材と凍結抑制機能を有する微小粉体との混合物を添着したことを要旨とするものである。
【０００９】
この発明の第３の凍結抑制舗装材は、弾性体から成る粒状の芯材の表面に、凍結抑制機能を有する微小粉体を添着したことを要旨とするものである。
【００１０】
この発明の第４の凍結抑制舗装材は、弾性体から成る粒状の芯材の表面に、接着用樹脂材を介して滑り止め機能を有する微小骨材と凍結抑制機能を有する微小粉体との混合物を添着したことを要旨とするものである。
【００１１】
更に、この発明の第５の凍結抑制舗装材は、剛体から成る粒状の芯材と弾性体から成る粒状の芯材との混合芯材に、接着用樹脂材を介して滑り止め機能を有する微小骨材と凍結抑制機能を有する微小粉体との少なくとも一方を添着したことを要旨とするものである。      
【００１２】
前記剛体から成る粒状の芯材としては、硅砂，自然石の砕石または人工石の破砕物等を使用し、前記弾性体から成る粒状の芯材としては、粒状ゴムまたはファイバー状ゴム等を使用するものである。
【００１３】
また、上記の第１〜第５の凍結抑制舗装材において、凍結抑制機能を有する微小粉体としては、例えば、水溶性塩類であり、吸水性を有する有機系物質であり、更に保水性を有する無機系物質等である。また、上記の第１〜第５の凍結抑制舗装材において、滑り止め機能を有する微小骨材は、例えば、無機系微細骨材または有機系微細骨材である。
【００１４】
また、この発明の第１の凍結抑制舗装体の施工方法は、現場施工基盤表面上または基盤表面の空隙に上記の第１〜第５の凍結抑制舗装材から選ばれた一つの凍結抑制舗装材を散布・転圧することを要旨とするものである。
【００１５】
また、この発明の第２の凍結抑制舗装体の施工方法は、現場施工基盤表面上に接着性または粘着性を付与する処理を施した後、上記請求項１，２，３，４，５から選ばれた一つの凍結抑制舗装材を散布・転圧することを要旨とするものである。
【００１６】
また、この発明の第３の凍結抑制舗装体の施工方法は、接着性または粘着性を付与する基材と、上記請求項１，２，３，４，５から選ばれた一つの凍結抑制舗装材とを混合した混合物を基盤上に施工して転圧することを要旨とするものである。
【発明の効果】
【００１７】
この発明の凍結抑制舗装材は、上記のように種々の構成を有するものであるので、以下のような優れた効果を奏するものである。
(a).複合型骨材（ハイブリッド骨材）自体の弾性による氷板破砕と、凍結防止機能を付与させた添着材とによる相乗効果及び滑り止め機能による雪氷に対する耐滑り性の向上に寄与させることが可能となる。
(b).凍結防止機能を付与させた添着材による凍結防止機能及び滑り止め機能による雪氷に対する耐滑り性の向上に寄与させるさとが可能となる。
(c).凍結防止機能を付与させた添着材による凍結防止機能による雪氷に対する耐滑り性の向上に寄与させることが可能となる。
(d).氷点下による凍結防止機能を付与と、現状の散布に対して飛散の影響を少なくすることが出来る。
(e).不凍液を吸水し、凍結防止機能の持続性を付与することが出来る。
(f).不凍液を保水し、凍結防止機能の持続性を付与することが出来る。
【発明を実施するための最良の形態】
【００１８】
以下、添付図面に基づき、この発明の実施形態を説明する。
【００１９】
図１は、この発明の複合型骨材（ハイブリッド骨材）から成る凍結抑制舗装材Ｑの概略構成図を示し、この凍結抑制舗装材Ｑの第１実施形態としては、硅砂，自然石の砕石または人工石の破砕物等の剛体から成る粒状の芯材１の表面に、接着用樹脂材２を介して凍結抑制機能を有する水溶性塩類、吸水性を有する有機系物質、更に保水性を有する無機系物質等から選ばれた微小粉体３が添着してある。
【００２０】
また、この発明の凍結抑制舗装材Ｑの第２実施形態としては、硅砂，自然石の砕石または人工石の破砕物等の剛体から成る粒状の芯材１の表面に、接着用樹脂材２を介して滑り止め機能を有する無機系微細骨材または有機系微細骨材から成る微小骨材４と、凍結抑制機能を有する水溶性塩類、吸水性を有する有機系物質、更に保水性を有する無機系物質等から選ばれた微小粉体３との混合物を添着して構成したものである。
【００２１】
また、この発明の凍結抑制舗装材Ｑの第３実施形態としては、粒状ゴムまたはファイバー状ゴム等から選ばれた弾性体から成る粒状の芯材５の表面に、接着用樹脂材２を介して凍結抑制機能を有する水溶性塩類、吸水性を有する有機系物質、更に保水性を有する無機系物質等から選ばれた微小粉体３を添着して構成したものである。
【００２２】
また、この発明の凍結抑制舗装材Ｑの第４実施形態としては、粒状ゴムまたはファイバー状ゴム等から選ばれた弾性体から成る粒状の芯材５の表面に、接着用樹脂材２を介して滑り止め機能を有する無機系微細骨材または有機系微細骨材から成る微小骨材４と、凍結抑制機能を有する水溶性塩類、吸水性を有する有機系物質、更に保水性を有する無機系物質等から選ばれた微小粉体３との混合物を添着して構成したものである。
【００２３】
更に、この発明の凍結抑制舗装材Ｑの第５実施形態としては、硅砂，自然石の砕石または人工石の破砕物等の剛体から成る粒状の芯材１と、粒状ゴムまたはファイバー状ゴム等から選ばれた弾性体から成る粒状の芯材５との混合芯材に、接着用樹脂材２を介して滑り止め機能を有する無機系微細骨材または有機系微細骨材から成る微小骨材４と、凍結抑制機能を有する水溶性塩類、吸水性を有する有機系物質、更に保水性を有する無機系物質等から選ばれた微小粉体３との少なくとも一方を添着して構成するものである。
【００２４】
上記のような凍結抑制舗装材Ｑ（複合型骨材）の製造方法としては、粒状の芯材１または５の表面に、溶剤、液状ゴム溶液、ハロゲン含有化合物、無機酸、有機酸等の表面処理剤で表面処理を施した後、この表面処理をした粒状の芯材１または５の表面に熱硬化性樹脂（例えば、エポキシ樹脂、ウレタン樹脂、ポリエステル樹脂、フェノール樹脂）または熱可塑性樹脂（例えば、ウレタン樹脂、ポリアミド樹脂）と溶剤（酢酸エチル，トルエン，キシレン等）とを配合した接着用樹脂材２をコートする。
【００２５】
そして、このように接着用樹脂材２をコートした粒状の芯材１または５を、シランカップリング剤溶液等の表面処理剤で表面処理した硅砂等の剛性または弾性を有する微小粉体３または微小骨材４の中に少量ずつ滴下して芯材１または５の表面に微小粉体３または微小骨材４を添着させて凍結抑制舗装材Ｑ（複合型骨材：ハイブリッド骨材）を製造するものである。
【００２６】
その後、この凍結抑制舗装材Ｑを現場に搬送して、凍結抑制舗装体Ｗとする場合には、現場施工基盤表面上または基盤表面の空隙に凍結抑制舗装材を散布して転圧する散布法と、接着剤または粘着性を付与する基材と凍結抑制舗装材とを混合した混合物を基盤上に施工して転圧する混合法とがある。散布法においては、凍結抑制舗装材を基盤表面上に固着させるために、散布する前に基盤表面上に接着性または接着性を付与させておくことがさらに好ましい。
【００２７】
具体的には、基盤表面を加熱溶融することで粘着性を付与させたり、接着用樹脂系コート材を塗布して接着性を付与させる。また混合法においては、凍結抑制舗装材と混合する接着性または粘着性を付与する基材として、アスファルト等の熱可塑性樹脂、ウレタン樹脂、エポキシ樹脂，アクリル樹脂等の熱硬化性樹脂が好適に用いられる。
【００２８】
また、基盤上に施工された舗装体の排水性を良くするため、空隙を有しても良い。なお、凍結抑制効果や摩擦性、排水性を制御するため、凍結抑制舗装材として２種類以上の異なる舗装材を混合させても良く、舗装材の他に砂等の骨材を散布または混合しても良い。      
【００２９】
なお、上記の混合型の方法では、骨材全体中の凍結抑制舗装材Ｑは、５〜１００％が好ましく、５％未満で凍結抑制効果が小さい。また散布型の方法の場合には、凍結抑制舗装材Ｑを散布した後、転圧する前の全表面積に対する凍結抑制舗装材Ｑの占有面積は、１０〜１００％とすることが好ましく、１０％未満で凍結抑制効果が小さい。
【００３０】
上記凍結抑制舗装体Ｗの混合方法による施工方法は、図５に示すように、現場に搬送した凍結抑制舗装材Ｑと、アスファルト７、またはアスファルト７と砂，砂利との混合物とを混合させて混合物８ａを製造し、この混合物８ａを道路基盤９上に施工して転圧することにより、凍結抑制舗装体Ｗを構成するものである。
【００３１】
また、凍結抑制舗装体Ｗの散布方法による施工方法は、図６に示すように、アスファルト７、またはアスファルト７と砂，砂利との混合物８ｂを道路基盤９上に施工した直後に、その表面に上記複合型骨材１を散布，転圧して施工することにより、凍結抑制舗装体を構成するものである。
【００３２】
この発明の凍結抑制舗装材Ｑは、上記のように化学系凍結抑制機能及び物理系凍結抑制機能を具備させて構成するので、凍結抑制舗装材の持続性及び滑り抵抗性の付与の相乗効果による総合的凍結抑制機能を十分に発揮させることが出来るものである。
【図面の簡単な説明】
【００３３】
【図１】この発明の複合型骨材から成る凍結抑制舗装材の第１実施形態を示す概略構成図である。
【図２】この発明の複合型骨材から成る凍結抑制舗装材の第２実施形態を示す概略構成図である。
【図３】この発明の複合型骨材から成る凍結抑制舗装材の第３実施形態を示す概略構成図である。
【図４】この発明の複合型骨材から成る凍結抑制舗装材の第４実施形態及び第５実施形態を示す概略構成図である。
【図５】凍結抑制舗装体の混合方法による施工方法の説明図である。
【図６】凍結抑制舗装体の散布方法による施工方法の説明図である。
【符号の説明】
【００３４】
Ｑ  凍結抑制舗装材
１  粒状の芯材                      ２  接着用樹脂材
３  微小粉体                        ４  微小骨材
５  粒状の芯材                      ７  アスファルト
８ａ，８ｂ  混合物                  ９  道路基盤
Ｗ  凍結抑制舗装体
【図１】
2005220631.tif 000003
【図２】
2005220631.tif 000004
【図３】
2005220631.tif 000005
【図４】
2005220631.tif 000006
【図５】
2005220631.tif 000007
【図６】
2005220631.tif 000008